(57)【要約】【課題】  ハンカチを簡単で迅速に出し入れすることができ、濡れたハンカチが周囲を濡らさないようにでき、濡れたハンカチを乾燥することができる携帯用ハンカチホルダーを提供する。【解決手段】  取付具を有するホルダー本体にハンカチを吊るし下げるための腕部を設け、腕部先端開口部より腕部の隙間にハンカチを挿入して吊り下げるように設け、ホルダー本体の外側に着脱自在なカバーを取り付ける。【選択図】図１
2014214411.tif 000002
【特許請求の範囲】
【請求項１】
取付具を有するホルダー本体にハンカチを吊るし下げるための腕部を設け、腕部先端開口部より腕部の隙間にハンカチを挿入して吊り下げるように設け、ホルダー本体の外側に着脱自在なカバーを取り付けた携帯用ハンカチホルダー。
【請求項２】
腕部を三つ折り状に形成した請求項１の携帯用ハンカチホルダー。
【請求項３】
カバーを二枚に分離した請求項１または請求項２の携帯用ハンカチホルダー。
【発明の詳細な説明】
【技術分野】
【０００１】  本発明は、外出時にハンカチを簡単で迅速に出して入れることができる携帯用ハンカチホルダーに関するものである。
【背景技術】
【０００２】  従来、簡単で迅速にハンカチを出して入れるために、ハンカチ入れに開口部を設けたり、クリップ、ゴム、紐などでハンカチを吊り下げるものであった。
【発明の概要】
【発明が解決しようとする課題】
【０００３】  しかしながら、従来、簡単で迅速にハンカチを出すために、ハンカチ入れの開口部にボタンやファスナーなど取り付けられたものは、一度ハンカチ入れを開ける作業をしてからハンカチを出す必要があるので簡単で迅速ではなかった。ハンカチ入れの側面と側面でしっかりハンカチを挟みこむものは、ハンカチを入れるときに手間がかかったり皺になったりと簡単で迅速ではなかった。また、ハンカチ入れに開口部を設けたものは、簡単で迅速にハンカチを出せるようにハンカチ入れからハンカチの一部だけ出ている状態に設置する作業に手間がかかるという問題があった。さらにこれらの構造のハンカチ入れは濡れたハンカチを入れると乾燥ができないという問題もあった。【０００４】  他方、クリップ、ゴム、紐などでハンカチを吊り下げるものは、それらを開いて閉じるという作業をする必要があるため簡単で迅速ではなかった。また、ゴムや紐を使用したものは締めつけるようにしてハンカチを吊り下げるためハンカチが皺になってしまった。さらにこれらのハンカチ入れは濡れたハンカチを吊り下げたとき周囲を濡らしてしまうという問題もあった。
本発明は以上の問題点を解決するものである。
【課題を解決するための手段】
【０００５】  取付具を有するホルダー本体にハンカチを吊るし下げるための腕部を設け、腕部先端開口部より腕部の隙間にハンカチを挿入して吊り下げるように設け、ホルダー本体の外側に着脱自在なカバーを取り付ける。
本発明は、以上の構成よりなる携帯用ハンカチホルダーである。
【発明の効果】
【０００６】  本発明の携帯用ハンカチホルダーを使用することで、濡れた手でハンカチを取り出すとき鞄やポケットなどを濡らさずハンカチを簡単で迅速に出すことができる。そして、使用後のハンカチを皺にならないように簡単で迅速に入れることができる。また、ホルダー本体に取り付けできるカバーがあることにより、濡れたハンカチが周囲を汚すことを防止することができ、カバーを外すことでハンカチを乾燥することができる。
【図面の簡単な説明】
【０００７】
【図１】本発明の正面図
【図２】本発明のホルダー本体の平面図
【図３】本発明の他の実施例で三つ折り状のホルダー本体を示す平面図
【図４】本発明のカバーの平面図
【図５】本発明の他の実施例で二枚式カバーとホルダーの分解斜視図
【図６】本発明におけるハンカチの出し入れを示す状態図
【図７】本発明のカバーを外し、ハンカチを吊り下げた状態図
【発明を実施するための形態】
【０００８】  以下、本発明の実施の形態を説明する。
図１に示しているように、二つ折り状のホルダー本体１の各腕部１ａの先端に、折りたたんだハンカチ４を簡単で迅速に入れられるように各先端部１ｂにガイド部６が設けてある。ホルダー本体１の上部中央に鞄や身体部に取り付けることができる吊り具３が取り付けてある。図４に示しているようにホルダー本体１に取り付けるカバー２を、開口２ａから吊り具３を通しホルダー本体１を覆うようにして垂れ下げる。各腕部１ａの隙間５に折りたたんだハンカチ４を吊り下げる。
【０００９】  図２はホルダー本体１を示し、各腕部１ａの隙間５に折りたたんだハンカチ４を吊り下げられるようにし、一本の棒を折り曲げた形状にする。二つ折り状のホルダー本体１の各腕部１ａの先端に、折りたたんだハンカチ４を簡単で迅速に入れられるように先端部１ｂにガイド部６が設けてある。各先端部１ｂにガイド部６の開きがあることでスムーズに折りたたんだハンカチ４が挿入できる。図６で示したように、ガイド部６から折り目の端４ａを通し滑らせていくことで折りたたんだハンカチ４を各腕部１ａの隙間５に簡単で迅速に入れることができる。
【００１０】  図３は三つ折り状のホルダー本体７である。腕部１ａの先端部を内側に曲げて各先端部１ｂにガイド部６を設ける。
【００１１】  図４はホルダー本体１に取り付けるカバー２である。カバー２は１枚からなり、布、革、ナイロン、ビニールなどの生地で、単一もしくはこれらを重ね合わせたものからなる。図１に示したように、カバー２は折りたたんだハンカチ４を覆うことができる大きさを持つ。カバー２の中央に吊り具３を通すための開口２ａを設ける。図１で示したように、カバー２をホルダー本体１に取り付けるときは、開口２ａから吊り具３を通しホルダー本体１を覆うようにして垂れ下げる。カバー２をホルダー本体１から取り外すときは開口２ａから吊り具３を通し取り外す。
【００１２】  図５は二枚式のカバー２ｂである。二枚式のカバー２ｂは２枚からなり、布、革、ナイロン、ビニールなどの生地で、単一もしくはこれらを重ね合わせたものからなる。二枚式のカバー２ｂは折りたたんだハンカチ４を覆うことができる大きさを持つ。ホルダー本体１に本体側のカバーの取付具１ｃを設け、二枚式のカバー２ｂにカバー側のカバーの取付具２ｃを設ける。これにより取り付け取り外しができる。取付具はボタン、面ファスナーなどが使用される。
本発明は以上のような構造である。
【００１３】  本発明を使用するときは、図６で示すように、カバー２の上からホルダー本体１を持ち、他方の手で折りたたんだハンカチ４を持つ。ガイド部６から折り目の端４ａを通し滑らせていくことで折りたたんだハンカチ４を各腕部１ａの隙間５に簡単で迅速に入れることができる。このように入れると折りたたんだハンカチ４の形状のままホルダー本体１に入れることができ、その形状のまま吊り下がった状態になるので皺になることもない。そして、カバー２があることにより、折りたたんだハンカチ４が濡れているときでも周囲を濡らさないようにすることができる。また、カバー２が本体に取り付けたときカバー２の側部と下部が開いていることで、簡単で迅速に出し入れすることを阻害することがなくなる。さらに通気性をよくすることもできる。出すときは、図１の状態で、カバー２の上からホルダー本体１を持ち、他方の手でカバー２の内側にある折りたたんだハンカチ４を持つ。先端部１ｂの方に滑らせて出す。これにより簡単で迅速に出すことができる。
【００１４】  図７はカバー２が取り外され、ホルダー本体１に折りたたんだハンカチ４が吊り下がった状態図である。カバー２を取り外すことにより折りたたんだハンカチ４が濡れていても乾燥することができる。
【符号の説明】
【００１５】  １  ホルダー本体
１ａ  腕部
１ｂ  先端部
１ｃ  本体側のカバー取付具
２  カバー
２ａ  吊り具を通すための開口
２ｂ  二枚式のカバー
２ｃ  カバー側のカバー取付具
３  吊り具
４  折りたたんだハンカチ
４ａ  折り目の端
５  隙間
６  ガイド部
７  三つ折り状のホルダー本体
【図１】
2014214411.tif 000003
【図２】
2014214411.tif 000004
【図３】
2014214411.tif 000005
【図４】
2014214411.tif 000006
【図５】
2014214411.tif 000007
【図６】
2014214411.tif 000008
【図７】
2014214411.tif 000009